(57)【特許請求の範囲】
【請求項１】
ワイヤレス通信の方法であって、
低レイテンシ動作モードに少なくとも部分的に基づいてリソースの第1のセットを使用してデータブロックを送信するステップと、
前記低レイテンシ動作モードに少なくとも部分的に基づいてリソースの第2のセットを使用して前記データブロックの冗長バージョンを送信するステップであって、前記データブロックの前記冗長バージョンは、前記データブロックに関するフィードバックメッセージが受信されているかどうかを判断する前に送信される、ステップと、
フィードバック情報と、送信方式の調整要求とを含む補強フィードバックメッセージを受信するステップであって、
前記補強フィードバックメッセージは、前記データブロックを正常に復号する前に受信された1つまたは複数の冗長バージョンのうちの1つに基づいている、ステップと、
前記フィードバック情報と、前記送信方式の調整要求とに少なくとも部分的に基づいて、送信方式を調整するステップと
を含む方法。
【請求項２】
チャネル状態または前記データブロックのサイズに少なくとも部分的に基づいて初期変調およびコーディング方式(MCS)を選択するステップであって、前記データブロックを送信するステップが前記初期MCSに少なくとも部分的に基づく、ステップ
をさらに含む、請求項1に記載の方法。
【請求項３】
前記送信方式を調整するステップは、前記フィードバック情報と、前記送信方式の調整要求とに少なくとも部分的に基づいて、前記初期MCSを更新するステップを含む、請求項2に記載の方法。
【請求項４】
前記低レイテンシ動作モードは、縮小された連続送信時間間隔(TTI)時間期間を含む、請求項1に記載の方法。
【請求項５】
ワイヤレス通信の方法であって、
低レイテンシ動作モードに少なくとも部分的に基づいてリソースの第1のセットを使用してデータブロックを受信するステップと、
前記データブロックに関する対数尤度比(LLR)の第1のセットを計算するステップと、
LLRの前記第1のセットからの復号されたビットの第1のセットが巡回冗長検査(CRC)に合格していないと判断するステップと、
否定応答(NACK)を送信する前に、リソースの第2のセットを使用して、前記低レイテンシ動作モードに少なくとも部分的に基づいて前記データブロックの冗長バージョンを受信するステップと、
前記冗長バージョンに少なくとも部分的に基づいて前記データブロックに関するLLRの更新されたセットを計算するステップと、
LLRの前記更新されたセットからの復号されたビットの第2のセットが前記CRCに合格していると判断するステップと、
LLRの前記更新されたセットが前記CRCに合格しているとの前記判断に少なくとも部分的に基づいて、前記データブロックに関する補強フィードバックメッセージを送信するステップであって、
前記補強フィードバックメッセージは、前記データブロックを正常に復号する前に受信された1つまたは複数の冗長バージョンのうちの1つに基づくフィードバック情報を含む、ステップと、
前記フィードバック情報に少なくとも部分的に基づいて調整された送信方式を使用した送信を、受信するステップと
を含む方法。
【請求項６】
前記データブロックを受信するステップは、
チャネル状態または前記データブロックのサイズに少なくとも部分的に基づく初期変調およびコーディング方式(MCS)を使用して前記データブロックを受信するステップ
を含む、請求項5に記載の方法。
【請求項７】
ワイヤレス通信のための装置であって、
低レイテンシ動作モードに少なくとも部分的に基づいてリソースの第1のセットを使用してデータブロックを送信するための手段と、
前記低レイテンシ動作モードに少なくとも部分的に基づいてリソースの第2のセットを使用して前記データブロックの冗長バージョンを送信するための手段であって、前記データブロックの前記冗長バージョンは、前記データブロックに関するフィードバックメッセージが受信されているかどうかを判断する前に送信される、手段と、
フィードバック情報と、送信方式の調整要求とを含む補強フィードバックメッセージを受信するための手段であって、
前記補強フィードバックメッセージは、前記データブロックを正常に復号する前に受信された1つまたは複数の冗長バージョンのうちの1つに基づいている、手段と、
前記フィードバック情報と、前記送信方式の調整要求とに少なくとも部分的に基づいて、送信方式を調整するための手段と
を含む装置。
【請求項８】
チャネル状態または前記データブロックのサイズに少なくとも部分的に基づいて初期変調およびコーディング方式(MCS)を選択するための手段であって、前記データブロックを送信することが前記初期MCSに少なくとも部分的に基づく、手段
をさらに含む、請求項7に記載の装置。
【請求項９】
前記送信方式を調整するための手段は、前記フィードバック情報と、前記送信方式の調整要求とに少なくとも部分的に基づいて、前記初期MCSを更新するための手段を含む、請求項8に記載の装置。
【請求項１０】
前記低レイテンシ動作モードは、縮小された連続送信時間間隔(TTI)時間期間を含む、請求項7に記載の装置。
【請求項１１】
ワイヤレス通信のための装置であって、
低レイテンシ動作モードに少なくとも部分的に基づいてリソースの第1のセットを使用してデータブロックを受信するための手段と、
前記データブロックに関する対数尤度比(LLR)の第1のセットを計算するための手段と、
LLRの前記第1のセットからの復号されたビットの第1のセットが巡回冗長検査(CRC)に合格していないと判断するための手段と、
否定応答(NACK)を送信する前に、リソースの第2のセットを使用して、前記低レイテンシ動作モードに少なくとも部分的に基づいて前記データブロックの冗長バージョンを受信するための手段と、
前記冗長バージョンに少なくとも部分的に基づいて前記データブロックに関するLLRの更新されたセットを計算するための手段と、
LLRの前記更新されたセットからの復号されたビットの第2のセットが前記CRCに合格していると判断するための手段と、
LLRの前記更新されたセットが前記CRCに合格しているとの前記判断に少なくとも部分的に基づいて、前記データブロックに関する補強フィードバックメッセージを送信するための手段であって、
前記補強フィードバックメッセージは、前記データブロックを正常に復号する前に受信された1つまたは複数の冗長バージョンのうちの1つに基づくフィードバック情報を含む、手段と、
前記フィードバック情報に少なくとも部分的に基づいて調整された送信方式を使用した送信を、受信するための手段と
を含む装置。
【請求項１２】
前記データブロックを受信することは、
チャネル状態または前記データブロックのサイズに少なくとも部分的に基づく初期変調およびコーディング方式(MCS)を使用して前記データブロックを受信すること
を含む、請求項11に記載の装置。
【請求項１３】
コンピュータに請求項1乃至6のいずれか1項に記載の方法を実行させるための命令を含むコンピュータプログラム。
【発明の詳細な説明】
【技術分野】
【０００１】
相互参照
本特許出願は、各々が本出願の譲受人に譲渡された、2015年4月8日に出願された「Fountain HARQ for Reliable Low Latency Communication」と題する、Jiangらによる米国特許出願第14/681,896号、および2014年10月27日に出願された「Fountain HARQ For Reliable Low Latency Communication」と題する、Jiangらによる米国仮特許出願第62/069,133号の優先権を主張する。
【０００２】
以下は、一般にワイヤレス通信に関し、より詳細には、信頼できる低レイテンシ通信のためのファウンテンハイブリッド自動再送要求(HARQ)に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム)を含む。
【０００４】
例として、ワイヤレス多元接続通信システムは、場合によってはユーザ機器(UE)と呼ばれ得る複数の通信デバイスのための通信を各々が同時にサポートする、いくつかの基地局を含み得る。基地局は、ダウンリンクチャネル(たとえば、基地局からUEへの送信用)およびアップリンクチャネル(たとえば、UEから基地局への送信用)上で通信デバイスと通信し得る。場合によっては、UEが互いに直接通信することもある。
【０００５】
場合によっては、ワイヤレスデバイスは、送信が正しく受信されたかどうかを示すために、肯定応答(ACK)または否定応答(NACK)のようなHARQフィードバックを送り得る。メッセージの送信機は、NACKを受信した場合には、データの正常配信を確実にするためにメッセージを再送信し得る。だが、HARQプロセスは、NACKおよび再送信の復号時間および往復時間に基づいて、かなりの時間量を要することがある。これは、デバイス間の通信のレイテンシをもたらすことがあり、それによりワイヤレスリンクのデータレートおよび信頼性に悪影響が及び得る。
【発明の概要】
【発明が解決しようとする課題】
【０００６】
本開示は、一般にワイヤレス通信システムに関し、より詳細には、信頼できる低レイテンシ通信のためのファウンテンハイブリッド自動再送要求(HARQ)に関連する改善されたシステム、方法、または装置に関し得る。ワイヤレスデバイスは、低レイテンシ動作モードに基づいてデータブロックを送信することができる。次いでデバイスは、肯定応答(ACK)が受信されたかどうかを判断する前に、データブロックのいくつかの冗長バージョンを送信することができる。いくつかの例では、ACKは補強ACKであってよく、補強ACKは、データブロックを正常に復号する前に受信されたいくつかの冗長バージョンに基づき得、追加リソース要求を含み得る。いくつかの例では、デバイスは補強ACKに基づいて、更新された変調およびコーディング方式(MCS)を選択することができる。いくつかの例では、デバイスは補強ACKに基づいて、送信に使用される周波数リソース(たとえば、コンポーネントキャリア)の数を増やすことができる。
【課題を解決するための手段】
【０００７】
ワイヤレス通信の方法について説明する。本方法は、低レイテンシ動作モードに基づいてリソースの第1のセットを使用してデータブロックを送信するステップと、低レイテンシ動作モードに基づいてリソースの第2のセットを使用してデータブロックのいくつかの冗長バージョンを送信するステップであって、データブロックに関してACKが受信されているかどうかを判断する前に、データブロックのいくつかの冗長バージョンが送信される、ステップとを含むことができる。
【０００８】
ワイヤレス通信のための装置について説明する。本装置は、低レイテンシ動作モードに基づいてリソースの第1のセットを使用してデータブロックを送信するための手段と、低レイテンシ動作モードに基づいてリソースの第2のセットを使用してデータブロックのいくつかの冗長バージョンを送信するための手段であって、データブロックに関してACKが受信されているかどうかを判断する前に、データブロックのいくつかの冗長バージョンが送信される、手段とを含むことができる。
【０００９】
ワイヤレス通信のためのさらなる装置について説明する。本装置は、プロセッサと、プロセッサと電子通信しているメモリと、メモリに記憶された命令とを含むことができ、命令は、プロセッサによって、低レイテンシ動作モードに基づいてリソースの第1のセットを使用してデータブロックを送信することと、低レイテンシ動作モードに基づいてリソースの第2のセットを使用してデータブロックのいくつかの冗長バージョンを送信することであって、データブロックに関してACKが受信されているかどうかを判断する前に、データブロックのいくつかの冗長バージョンが送信される、送信することとを行うように実行可能である。
【００１０】
ワイヤレス通信のためのコードを記憶した非一時的コンピュータ可読媒体について説明する。本コードは、低レイテンシ動作モードに基づいてリソースの第1のセットを使用してデータブロックを送信することと、低レイテンシ動作モードに基づいてリソースの第2のセットを使用してデータブロックのいくつかの冗長バージョンを送信することであって、データブロックに関してACKが受信されているかどうかを判断する前に、データブロックのいくつかの冗長バージョンが送信される、送信することとを行うように実行可能な命令を含むことができる。
【００１１】
上で説明した方法、装置、または非一時的コンピュータ可読媒体のいくつかの例は、チャネル状態またはデータブロックのサイズに少なくとも部分的に基づいて初期MCSを選択することをさらに含むことができ、データブロックを送信することが初期MCSに基づく。追加または代替として、いくつかの例では、ACKは、いくつかの冗長バージョンに少なくとも部分的に基づく、追加リソース要求を含む補強ACKであり、補強ACKに少なくとも部分的に基づいて、更新されたMCSを選択することを含むことができる。
【００１２】
上で説明した方法、装置、または非一時的コンピュータ可読媒体のいくつかの例は、低レイテンシ動作モードに基づいて、縮小されたシンボル持続時間アップリンク(UL)制御チャネル上でACKを受信することをさらに含むことができる。追加または代替として、いくつかの例は、縮小されたシンボル持続時間UL制御チャネル上で、いくつかの冗長バージョンに対応するいくつかのNACKを受信することを含むことができる。
【００１３】
上で説明した方法、装置、または非一時的コンピュータ可読媒体のいくつかの例は、ACKに基づいてデータブロックの追加の冗長バージョンを送信するのを控えることをさらに含むことができる。追加または代替として、いくつかの例では、低レイテンシ動作モードは、縮小された送信時間間隔(TTI)時間期間を含む。
【００１４】
上で説明した方法、装置、または非一時的コンピュータ可読媒体のいくつかの例では、リソースの第2のセットは、時間的にリソースの第1セットに続く。追加または代替として、いくつかの例は、低レイテンシ動作モードに基づいて、縮小されたシンボル持続時間ダウンリンク(DL)制御チャネル上で制御情報を送信することを含むことができる。
【００１５】
ワイヤレス通信の方法について説明する。本方法は、低レイテンシ動作モードに基づいてリソースの第1のセットを使用してデータブロックを受信するステップと、データブロックに関するLLRの第1のセットを計算するステップと、LLRの第1のセットからの復号されたビットの第1のセットがCRCに合格していないと判断するステップと、NACKを送信する前に、リソースの第2のセットを使用して低レイテンシ動作モードに基づいてデータブロックのいくつかの冗長バージョンを受信するステップと、いくつかの冗長バージョンに基づいて、データブロックに関するLLRの更新されたセットを計算するステップと、LLRの更新されたセットからの復号されたビットの第2のセットがCRCに合格していると判断するステップと、LLRの更新されたセットがCRCに合格しているとの判断に基づいて、データブロックに関するACKを送信するステップとを含むことができる。
【００１６】
ワイヤレス通信のための装置について説明する。本装置は、低レイテンシ動作モードに基づいてリソースの第1のセットを使用してデータブロックを受信するための手段と、データブロックに関するLLRの第1のセットを計算するための手段と、LLRの第1のセットからの復号されたビットの第1のセットがCRCに合格していないと判断するための手段と、NACKを送信する前に、リソースの第2のセットを使用して低レイテンシ動作モードに基づいてデータブロックのいくつかの冗長バージョンを受信するための手段と、いくつかの冗長バージョンに基づいて、データブロックに関するLLRの更新されたセットを計算するための手段と、LLRの更新されたセットからの復号されたビットの第2のセットがCRCに合格していると判断するための手段と、LLRの更新されたセットがCRCに合格しているとの判断に基づいて、データブロックに関するACKを送信するための手段とを含むことができる。
【００１７】
ワイヤレス通信のためのさらなる装置について説明する。本装置は、プロセッサと、プロセッサと電子通信しているメモリと、メモリに記憶された命令とを含むことができ、命令は、プロセッサによって、低レイテンシ動作モードに基づいてリソースの第1のセットを使用してデータブロックを受信することと、データブロックに関するLLRの第1のセットを計算することと、LLRの第1のセットからの復号されたビットの第1のセットがCRCに合格していないと判断することと、NACKを送信する前に、リソースの第2のセットを使用して低レイテンシ動作モードに基づいてデータブロックのいくつかの冗長バージョンを受信することと、いくつかの冗長バージョンに基づいて、データブロックに関するLLRの更新されたセットを計算することと、LLRの更新されたセットからの復号されたビットの第2のセットがCRCに合格していると判断することと、LLRの更新されたセットがCRCに合格しているとの判断に基づいて、データブロックに関するACKを送信することとを行うように実行可能である。
【００１８】
ワイヤレス通信のためのコードを記憶した非一時的コンピュータ可読媒体について説明する。本コードは、低レイテンシ動作モードに基づいてリソースの第1のセットを使用してデータブロックを受信することと、データブロックに関するLLRの第1のセットを計算することと、LLRの第1のセットからの復号されたビットの第1のセットがCRCに合格していないと判断することと、NACKを送信する前に、リソースの第2のセットを使用して低レイテンシ動作モードに基づいてデータブロックのいくつかの冗長バージョンを受信することと、いくつかの冗長バージョンに基づいて、データブロックに関するLLRの更新されたセットを計算することと、LLRの更新されたセットからの復号されたビットの第2のセットがCRCに合格していると判断することと、LLRの更新されたセットがCRCに合格しているとの判断に基づいて、データブロックに関するACKを送信することとを行うように実行可能な命令を含むことができる。
【００１９】
上で説明した方法、装置、または非一時的コンピュータ可読媒体のいくつかの例では、データブロックを受信することは、チャネル状態またはデータブロックのサイズに少なくとも部分的に基づく初期MCSを使用してデータブロックを受信することを含む。追加または代替として、いくつかの例では、ACKは、いくつかの冗長バージョンに少なくとも部分的に基づく、追加リソース要求を含む補強ACKである。
【００２０】
上で説明した方法、装置、または非一時的コンピュータ可読媒体のいくつかの例は、補強ACKに少なくとも部分的に基づく更新されたMCSを使用して後続データブロックを受信することをさらに含むことができる。追加または代替として、いくつかの例では、追加リソース要求は、1つまたは複数の信頼性メトリクスに少なくとも部分的に基づく。
【００２１】
上で説明した方法、装置、または非一時的コンピュータ可読媒体のいくつかの例では、ACKは、低レイテンシ動作モードに基づいて、縮小されたシンボル持続時間UL制御チャネル上で送信される。追加または代替として、いくつかの例は、縮小されたシンボル持続時間UL制御チャネル上で、いくつかの冗長バージョンに対応するいくつかのNACKを送信することを含むことができる。
【００２２】
上で説明した方法、装置、または非一時的コンピュータ可読媒体のいくつかの例は、低レイテンシ動作モードに基づいて、縮小されたシンボル持続時間DL制御チャネル上で制御情報を受信することをさらに含むことができる。追加または代替として、いくつかの例では、低レイテンシ動作モードは、縮小されたTTI時間期間を含む。
【００２３】
上で説明した方法、装置、または非一時的コンピュータ可読媒体のいくつかの例では、リソースの第2のセットは、時間的にリソースの第1セットに続く。追加または代替として、いくつかの例では、データブロックのいくつかの冗長バージョンを受信することは、複数のシンボルを通じてデータブロックのいくつかの冗長バージョンを受信することを含む。
【００２４】
上で説明した方法、装置、または非一時的コンピュータ可読媒体のいくつかの例は、LLRの更新されたセットに関する累積品質メトリックがしきい値を上回ると判断することをさらに含むことができる。追加または代替として、いくつかの例は、LLRの更新されたセットおよび累積品質メトリックがしきい値を上回るとの判断に基づいて、復号動作を実行することを含むことができ、復号されたビットの第2のセットが復号動作の出力である。
【００２５】
上で説明した方法、装置、または非一時的コンピュータ可読媒体のいくつかの例では、復号動作は、LLRの中間セットまたは復号されたビットの中間セットに部分的に基づく。
【００２６】
上記では、以下の詳細な説明がより良く理解され得るように、本開示による例の特徴および技術的利点についてかなり広く概説した。さらなる特徴および利点が以下で説明される。開示する概念および具体例は、本開示の同じ目的を実施するための他の構造を変更または設計するための基礎として容易に利用され得る。そのような等価な構造は、添付の特許請求の範囲から逸脱しない。本明細書で開示する概念の特性、それらの編成と動作方法の両方は、添付の図とともに検討されると、関連する利点とともに以下の説明からより良く理解されよう。図の各々は、例示および説明のために提供され、特許請求の範囲の限界を定めるものではない。
【００２７】
以下の図面の参照によって、本開示の性質および利点のさらなる理解が得られ得る。添付図面では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルだけが本明細書で使用される場合、説明は、第2の参照ラベルにかかわらず、同じ第1の参照ラベルを有する同様の構成要素のうちのいずれにも適用可能である。
【図面の簡単な説明】
【００２８】
【図１】本開示の様々な態様による、信頼できる低レイテンシ通信のためのファウンテンハイブリッド自動再送要求(HARQ)に関するワイヤレス通信システムの一例を示す図である。
【図２】本開示の様々な態様による、信頼できる低レイテンシ通信のためのファウンテンHARQに関連するワイヤレス通信サブシステムの一例を示す図である。
【図３】本開示の様々な態様による、信頼できる低レイテンシ通信に関連するファウンテンHARQタイムラインの一例を示す図である。
【図４】本開示の様々な態様による、信頼できる低レイテンシ通信のためのファウンテンHARQに関連するプロセスフローの一例を示す図である。
【図５】本開示の様々な態様による、信頼できる低レイテンシ通信のためのファウンテンHARQに関連する低レイテンシ物理レイヤ構造の一例を示す図である。
【図６】本開示の様々な態様による、ファウンテンHARQおよび信頼できる低レイテンシ通信のために構成されたユーザ機器(UE)のブロック図である。
【図７】本開示の様々な態様による、ファウンテンHARQおよび信頼できる低レイテンシ通信のために構成されたUEのブロック図である。
【図８】本開示の様々な態様による、ファウンテンHARQおよび信頼できる低レイテンシ通信のために構成されたファウンテンHARQモジュールのブロック図である。
【図９】本開示の様々な態様による、ファウンテンHARQおよび信頼できる低レイテンシ通信のために構成されたUEを含むシステムのブロック図である。
【図１０】本開示の様々な態様による、ファウンテンHARQおよび信頼できる低レイテンシ通信のために構成された基地局を含むシステムのブロック図である。
【図１１】本開示の様々な態様による、信頼できる低レイテンシ通信のためのファウンテンHARQに関連する方法を示すフローチャートである。
【図１２】本開示の様々な態様による、信頼できる低レイテンシ通信のためのファウンテンHARQに関連する方法を示すフローチャートである。
【図１３】本開示の様々な態様による、信頼できる低レイテンシ通信のためのファウンテンHARQに関連する方法を示すフローチャートである。
【図１４】本開示の様々な態様による、信頼できる低レイテンシ通信のためのファウンテンHARQに関連する方法を示すフローチャートである。
【図１５】本開示の様々な態様による、信頼できる低レイテンシ通信のためのファウンテンHARQに関連する方法を示すフローチャートである。
【図１６】本開示の様々な態様による、信頼できる低レイテンシ通信のためのファウンテンHARQに関連する方法を示すフローチャートである。
【発明を実施するための形態】
【００２９】
説明する特徴は、一般に、信頼できる低レイテンシ通信のためのファウンテンHARQに関連する改善されたシステム、方法、または装置に関する。インターレース型ハイブリッド自動再送(HARQ)構造を採用するワイヤレスシステム(たとえば、大部分の3GPP/3GPP2規格)もある。そのような構造は、複数のパケットを効率的に多重化することによって、失速(すなわち、復号/肯定応答のレイテンシに起因する)を回避することができる。だが、小さいペイロードサイズを有する遅延に敏感な通信では、インターレース型HARQは、かなりの遅延をもたらすことがあり、リンクバジェットをかなり減らすことがある。したがって、ワイヤレス通信システムは、結果として生じるレイテンシを軽減するために、ファウンテンHARQを使用し得る。
【００３０】
ファウンテンHARQ方式では、送信機はチャネル状態、ペイロードサイズなどに基づいて、レート/変調方式ならびにターゲットレイテンシを選択することができる。送信機は、ACKが受信されるまで、連続する送信時間間隔(TTI)においてデータ(たとえば、冗長バージョン)を送り続けることができる。受信機は、複数の受信されたデータシンボルを累積し、対数尤度比(LLR)を計算し、計算されたLLRが巡回冗長検査(CRC)に合格したときはいつでも送信を停止するためにACKを送ることができる。結果として、NACK信号の使用はないことがある。
【００３１】
場合によっては、受信機は、ACK(すなわち、補強ACK)上で追加のフィードバック要求を伝達することがある。フィードバックは、帯域幅(BW)の更新要求、追加のキャリア、多地点協調送受信(COMP)、更新されたプリコーディング行列インジケータ(PMI)、または更新されたランクインジケータ(RI)を含むことができる。言い換えれば、補強ACKは、追加のリソース、追加の協調、または送信方式の調整を要求するために使用され得る。場合によっては、チャネル推定値、復調LLR値、またはデコーダLLR値のような情報を使用して、チャネル品質情報が導出され得る。したがって、いくつかの例では、ACKは、チャネル推定品質、復調LLR品質、およびデコーダLLR品質に基づき得る。場合によっては、薄い制御チャネル(たとえば、縮小されたシンボル持続時間を有する制御チャネル)が、フィードバックおよび制御の効率(たとえば、復号/HARQ再送信時間に起因するオーバーヘッド)を改善するために使用され得る。
【００３２】
以下の説明は、例を提供し、特許請求の範囲に記載の範囲、適用性、または例を限定するものではない。説明する要素の機能および構成において、本開示の範囲から逸脱することなく変更が加えられ得る。様々な例は、必要に応じて、様々な手順または構成要素を省略、置換、または追加することができる。たとえば、説明する方法は、説明する順序とは異なる順序で実行されてもよく、様々なステップが追加、省略、または組み合わされてもよい。また、いくつかの例に関して説明する特徴は、他の例において組み合わされ得る。
【００３３】
図1は、本開示の様々な態様による、ワイヤレス通信システム100の一例を示す。ワイヤレス通信システム100は、基地局105、少なくとも1つのUE115、およびコアネットワーク130を含む。コアネットワーク130は、ユーザ認証、アクセス許可、追跡、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェースする。基地局105は、UE115との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク134(たとえば、X1など)を介して、直接的にまたは間接的に(たとえば、コアネットワーク130を通じて)のいずれかで、互いに通信し得る。
【００３４】
基地局105は、1つまたは複数の基地局アンテナを介して、UE115とワイヤレス通信することができる。基地局105の各々は、それぞれの地理的カバレージエリア110に通信カバレージを提供することができる。いくつかの例では、基地局105は、トランシーバ基地局、無線基地局、アクセスポイント、無線トランシーバ、NodeB、eNodeB(eNB)、ホームNodeB、ホームeNodeB、または何らかの他の適切な用語で呼ばれることがある。基地局105の地理的カバレージエリア110は、カバレージエリアの一部分のみを構成するセクタ(図示せず)に分割され得る。ワイヤレス通信システム100は、異なるタイプの基地局105(たとえば、マクロセル基地局またはスモールセル基地局)を含み得る。異なる技術のための重複する地理的カバレージエリア110があり得る。
【００３５】
いくつかの例では、ワイヤレス通信システム100は、ロングタームエボリューション(LTE)/LTEアドバンスト(LTE-A)ネットワークである。LTE/LTE-Aネットワークでは、発展型ノードB(eNB)という用語は、一般に基地局105を表すために使用され得る一方、UEという用語は、一般にUE115を表すために使用され得る。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を説明するために使用され得る3GPP用語である。
【００３６】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較すると、マクロセルと同じまたはマクロセルとは異なる(たとえば、認可、無認可などの)周波数帯域で動作し得る低電力基地局である。スモールセルは、様々な例に従って、ピコセル、フェムトセル、およびマイクロセルを含み得る。ピコセルは、たとえば、小さい地理的エリアをカバーし得、ネットワークプロバイダのサービスに加入しているUE115による無制限アクセスを可能にし得る。フェムトセルも、小さい地理的エリア(たとえば、自宅)をカバーし得、フェムトセルとの関連を有するUE115(たとえば、限定加入者グループ(CSG)内のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００３７】
ワイヤレス通信システム100は、同期動作または非同期動作をサポートし得る。同期動作では、基地局105は、同様のフレームタイミングを有し得、異なる基地局105からの送信は、時間的にほぼ整合され得る。非同期動作では、基地局105は、異なるフレームタイミングを有し得、異なる基地局105からの送信は、時間的に整合されないことがある。本明細書で説明する技法は、同期動作または非同期動作のいずれかに使用され得る。
【００３８】
様々な開示される例のいくつかに適応し得る通信ネットワークは、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、論理チャネルを介して通信するためにパケットセグメンテーションおよびリアセンブリを実行し得る。媒体アクセス制御(MAC)レイヤは、優先度処理および論理チャネルのトランスポートチャネルへの多重化を実行し得る。MACレイヤはまた、リンク効率を改善するためにMACレイヤにおいて再送信を行うためにHARQを使用し得る。制御プレーンでは、無線リソース制御(RRC)プロトコルレイヤは、UE115と基地局105との間のRRC接続の確立、構成、およびメンテナンスを提供し得る。RRCプロトコルレイヤは、ユーザプレーンデータのための無線ベアラのコアネットワーク130によるサポートに使用されることもある。物理(PHY)レイヤでは、トランスポートチャネルは、物理チャネルにマッピングされ得る。
【００３９】
UE115は、ワイヤレス通信システム100全体にわたって分散されてよく、各UE115は、固定またはモバイルであってよい。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の適切な用語を含むか、または当業者によってそのように呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、マクロeNB、スモールセルeNB、中継基地局などを含む、様々なタイプの基地局およびネットワーク機器と通信できる場合がある。
【００４０】
ワイヤレス通信システム100に示す通信リンク125は、UE115から基地局105へのアップリンク(UL)送信、または基地局105からUE115へのダウンリンク(DL)送信を含み得る。ダウンリンク送信は順方向リンク送信と呼ばれることもあり、アップリンク送信は逆方向リンク送信と呼ばれることもある。各通信リンク125は、1つまたは複数のキャリアを含んでよく、各キャリアは、上で説明した様々な無線技術に従って変調された複数のサブキャリア(たとえば、異なる周波数の波形信号)からなる信号であってよい。各被変調信号は、異なるサブキャリア上で送信されてよく、制御情報(たとえば、基準信号、制御チャネルなど)、オーバーヘッド情報、ユーザデータなどを搬送し得る。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。フレーム構造が、FDD用に(たとえば、フレーム構造タイプ1)およびTDD用に(たとえば、フレーム構造タイプ2)定義され得る。
【００４１】
デバイス間(D2D)通信と呼ばれる構成において、UE115間でワイヤレス通信リンク125が確立されることもある。D2D通信を利用するUE115のグループのうちの1つまたは複数は、セルのカバレージエリア110内にあり得る。そのようなグループにおける他のUE115は、セルのカバレージエリア110外にあるか、またはさもなければ基地局105から送信を受信することが不可能であり得る。場合によっては、D2D通信を介して通信するUE115のグループは、各UE115がグループ中の他のすべてのUE115に送信する1対多(1:M)システムを利用し得る。場合によっては、基地局105は、D2D通信のためのリソースのスケジューリングを円滑にする。他の場合には、D2D通信は、基地局105とは無関係に実行される。
【００４２】
ワイヤレス通信システム100のいくつかの実施形態では、基地局105またはUE115は、基地局105とUE115との間の通信品質および信頼性を改善するために、アンテナダイバーシティ方式を利用するための複数のアンテナを含み得る。追加または代替として、基地局105またはUE115は、同じまたは異なるコーディングされたデータを搬送する複数の空間レイヤを送信するためにマルチパス環境を利用し得る、多入力多出力(MIMO)技法を利用し得る。
【００４３】
ワイヤレス通信システム100は、複数のセルまたはキャリア上の動作をサポートし得、この機能は、キャリアアグリゲーション(CA)またはマルチキャリア動作と呼ばれることがある。キャリアはまた、コンポーネントキャリア(CC)、レイヤ、チャネルなどと呼ばれることがある。「キャリア」、「コンポーネントキャリア」、「セル」、および「チャネル」という用語は、本明細書で互換的に使用され得る。UE115は、キャリアアグリゲーションのための複数のダウンリンクCCおよび1つまたは複数のアップリンクCCとともに構成され得る。キャリアアグリゲーションは、FDDコンポーネントキャリアとTDDコンポーネントキャリアの両方とともに使用され得る。
【００４４】
HARQは、データがワイヤレス通信リンク125を介して正しく受信されることを確実にする方法であり得る。HARQは、エラー検出(たとえば、巡回冗長検査(CRC)を使用する)、前方誤り訂正(FEC)、および再送信(すなわち、自動再送要求(ARQ))の組合せを含み得る。HARQは、悪い無線状態(たとえば、悪い信号対雑音状態)においてMACレイヤにおけるスループットを改善することができる。インクリメンタル冗長HARQでは、誤って受信されたデータがバッファに記憶され、後続送信と組み合わされて、データを正常に復号する全体的確率が改善され得る。場合によっては、各メッセージに、送信の前に冗長ビットが追加される。これは、悪い状態では特に有益であり得る。他の場合には、冗長ビットは、各送信に追加されず、情報を復号する試みの失敗を示す否定応答(NACK)を元のメッセージの送信機が受信した後に再送信される。
【００４５】
本開示によれば、UE115または基地局105のようなワイヤレスデバイスは、低レイテンシ動作モードに基づいてデータブロックを送信することができる。次いでデバイスは、ACKが受信されたかどうかを判断する前に、データブロックのいくつかの冗長バージョンを送信することができる。いくつかの例では、ACKは補強ACKであってよく、補強ACKは、データブロックを正常に復号する前に受信されたいくつかの冗長バージョンに基づき得、追加リソース要求を含み得る。いくつかの例では、デバイスは補強ACKに基づいて、更新された変調およびコーディング方式(MCS)を選択することができる。いくつかの例では、デバイスは補強ACKに基づいて、送信に使用される周波数リソース(たとえば、コンポーネントキャリア)の数を増やすことができる。
【００４６】
図2は、本開示の様々な態様による、信頼できる低レイテンシ通信のためのファウンテンHARQに関連するワイヤレス通信サブシステム200の一例を示す。ワイヤレス通信サブシステム200は、UE115-aを含むことができ、UE115-aは、図1を参照して上で説明したUE115の一例であり得る。ワイヤレス通信サブシステム200はまた、基地局105-aを含むことができ、基地局105-aは、図1を参照して上で説明した基地局105の一例であり得る。基地局105-aは、図1を参照して全般的に上で説明したように、ダウンリンク205およびアップリンク210を介して、それのカバレージエリア110-a内の任意のUE115と通信し得る。
【００４７】
たとえば、基地局105-aは、ダウンリンク205上でUE115-aにデータを送信することがあり、UE115-aは、アップリンク210上で、データの受信ステータスを基地局105-aに知らせるHARQ肯定応答および否定応答(ACK/NACK)を送ることがある。本開示によれば、基地局105-aは、基地局105-aがUE115-aからACKを受信するまで、UE115-aにデータブロックの冗長バージョンを連続的に送信することができる(すなわち、基地局105はファウンテンHARQ手順を実施することができる)。いくつかの例では、UE115-aはアップリンク210上で、または別のUE115(図示せず)とのD2D通信中に、ファウンテンHARQを実施することがある。
【００４８】
第1のHARQ方式では、基地局105-aは、第1の送信時間間隔(TTI)を使用して、UE115-aにデータブロックを送ることができる。次いで基地局105-aは、UE115-aからのACK/NACK応答を待機し得る。基地局105-aはNACKを受信すると、UE115-aに冗長バージョン(たとえば、別様に符号化された同じデータ)を送信することができる。UE115-aがデータブロックを正しく受信した場合、追加の冗長バージョンは要求されていないことを基地局105-aに示すACKを、UE115-aは送信することができる(また基地局105-aは受信することができる)。いくつかの例では、復号/ACKのレイテンシに起因する失速を減らすために、ACK/NACKがインターレースされ得る(たとえば、複数のパケットが多重化される)。だが、NACKおよび後続再送信の往復時間は、遅延に敏感な通信に対して、かなりのレイテンシをもたらし得る。したがって、ワイヤレス通信サブシステム200は、ファウンテンHARQ方式のような第2のHARQ方式を使用することができる。
【００４９】
第2のHARQ方式は、縮小されたTTIに基づくバーストに関連付けられ得る。たとえば、基地局105-aは、短いTTIバースト220の間にUE115-aにデータブロックを送信し得る。場合によっては、短いTTIバースト220は、中に埋め込まれ、デフォルトTTI215よりも短い長さを有し得るいくつかの連続TTIを含み得る。短いTTIバースト220におけるデータブロックの初期送信の後、基地局105-aは、基地局105-aがアップリンク210を介してUE115-aからACKを受信するまで、短いTTIバースト220内の後続の短いTTIにおいてデータの冗長バージョンを送信することができる。
【００５０】
したがって、UE115-aは、受信されたデータブロックを累積し、巡回冗長検査(CRC)の成功の後にACKを送ることができる。場合によっては、UE115-aは、基地局105-aのための追加のフィードバックを伝達し得る補強ACKを送ることができる。たとえば、補強ACKは、送信方式の調整、追加の帯域幅(たとえば、キャリア)、リソース、および協調を要求し得る。基地局105-aは補強ACKを受信すると、補強ACKフィードバックに基づいて通信パラメータを調整し、データ冗長バージョンの送信を中止することができる。
【００５１】
ファウンテンHARQ方式とともに説明したが、短いTTIのバーストは、上で説明した第1のHARQ方式を含む任意のHARQ方式に使用され得る。さらに、通信リンクは、長さが異なり得る任意の数の短いTTIバーストを含むことができ、同じく長さが異なり得る任意の数の短いTTIを含むことができる。TTIの異なる長さが、異なるコンポーネントキャリアに使用されることもある。たとえば、1つまたは複数のコンポーネントキャリアは、短いTTIを利用し得る一方、他のコンポーネントキャリアは、より長いデフォルトTTI215を利用し得る。
【００５２】
したがって、UE115-aまたは基地局105-aは、低レイテンシ(たとえば、短いTTI)動作モードに基づいてデータブロックを送信することができる。次いで送信デバイスは、ACKが受信されたかどうかを判断する前に、データブロックのいくつかの冗長バージョンを送ることができる。いくつかの例では、ACKは補強ACKであってよく、補強ACKは、データブロックを正常に復号する前に受信されたいくつかの冗長バージョンに基づき得、追加リソース要求を含み得る。いくつかの例では、送信デバイスは補強ACKに基づいて、更新された変調およびコーディング方式(MCS)を選択すること、または送信に使用される周波数リソース(たとえば、コンポーネントキャリア)の数を増やすことができる。
【００５３】
図3は、本開示の様々な態様による、信頼できる低レイテンシ通信に関連するファウンテンHARQタイムライン300の一例を示す。ファウンテンHARQタイムライン300は、図1〜図2を参照して上で説明したような、UE115と基地局105との間のデータ送信に使用され得る。ファウンテンHARQタイムライン300は、ダウンリンク制御チャネル305およびアップリンク制御チャネル310を含み、これらは、図2を参照して上で説明したダウンリンク205およびアップリンク210の態様であり得る。ファウンテンHARQタイムライン300によって示されるファウンテンHARQ設計は、ULデータ送信に、またD2D通信に適用されてもよい。
【００５４】
さらに、ファウンテンHARQタイムライン300は、コンポーネントキャリア315-a、コンポーネントキャリア315-b、およびコンポーネントキャリア315-cを示す。場合によっては、ファウンテンHARQ方式におけるいくつかの冗長バージョンはオーバーヘッドをもたらし得る。したがって、制御チャネル(たとえば、ダウンリンク制御チャネル305および/またはアップリンク制御チャネル310)は、追加のHARQオーバーヘッドの影響を軽減するために、縮小されたシンボル期間を含むように構成され得る(すなわち、制御チャネルは薄い制御チャネルであり得る)。
【００５５】
基地局105は、ダウンリンク制御チャネル305を介してUE115にダウンリンク許可320-aを伝達することができる。同じTTIまたは後続TTIにおいて、基地局105は、コンポーネントキャリア315-a上でデータブロック325を送信することができる。場合によっては、TTIは、図2を参照して説明したような、短いTTIのバーストの一部であり得る。データブロック325の受信を改善するために、基地局105は、UE115がACKにより応答するまで、データブロック325の冗長バージョンを送信することができる。一例では、基地局105は、データブロック325の冗長バージョン330-(aからe)を送信することができる。データブロック325の冗長バージョンごとに、UE115は対数尤度比(LLR)を計算して、送信されたビットを推定することができる。UE115は、更新された復号済みビットを使用して、巡回冗長検査(CRC)を、合格が出るまで実行することができる。CRCの合格後、UE115は基地局105に、アップリンク制御チャネル310上でACK335-aを送信することができる。場合によっては、ACK335-aのタイミングに基づいて、基地局105は、冗長バージョン330の送信を終了させる前にもう1つの冗長バージョン330-eを送信することがある。すなわち、基地局105は、ACK335-aと同時に冗長バージョン330-eを送信することがある。基地局105およびUE115を参照して説明しているが、ファウンテンHARQタイムライン300は、2つのUE115の間のまたはULデータ送信のためのHARQタイムラインの一例であり得る。
【００５６】
場合によっては、ACK335-aは補強ACKであり得る。補強ACKは、データブロックを正常に復号する前にUE115において受信されたいくつかの冗長バージョン330に基づき得る。場合によっては、補強ACK335-aは、UE115から基地局105にフィードバック情報または追加リソース要求を伝達することができる。たとえば、補強ACK335-aは、追加の帯域幅(たとえば、キャリア)を要求することができる。したがって、基地局105は、補強ACK335-aを受信し、その情報に基づいて送信方式の調整を行うことができる。たとえば、基地局105はダウンリンク許可320-aを送信すると、UE115のためにコンポーネントキャリア315-a、コンポーネントキャリア315-b、およびコンポーネントキャリア315-cを割り振ることができる。結果的に、ダウンリンクデータ送信は、コンポーネントキャリア315-a上のデータブロックバージョン340-a、コンポーネントキャリア315-b上のデータブロックバージョン340-b、およびコンポーネントキャリア315-c上のデータブロックバージョン340-cを含むことができる。UE115は、データブロックバージョン340(aからc)を受信し、成功裏のCRCを実行することで、ACK335-bの送信を引き起こすことができる。場合によっては、ACK335-bも補強ACKであり得る。ACK335-bの受信時間に基づいて、基地局105は冗長バージョンの送信を中止することができる。場合によっては、データブロックバージョン340(aからc)の冗長バージョン340-(dからf)の追加セットが、ACK335-bと同時に送信され得る。
【００５７】
場合によっては、基地局105は、ダウンリンク送信のための初期変調およびコーディング方式(MCS)を選択することができる。MCSは、チャネル状態または送信されるべきデータのサイズに部分的に基づき得る。いくつかの例では、データブロック325の送信は初期MCSに基づき得る。基地局105において補強ACK335-aが受信された場合、基地局は、データブロック340の送信のためにMCSを更新することができる。
【００５８】
図4は、本開示の様々な態様による、信頼できる低レイテンシ通信のためのファウンテンHARQに関連するプロセスフロー400の一例を示す。プロセスフロー図400は、UE115-bを含むことができ、UE115-bは、図1〜図2を参照して上で説明したUE115の一例であり得る。プロセスフロー図400はまた、基地局105-bを含むことができ、基地局105-bは、図1〜図2を参照して上で説明した基地局105の一例であり得る。プロセスフロー図400は、図3を参照して上で説明したような、UE115と基地局105との間のデータ送信方式を利用することができる。プロセスフロー400によって示されるファウンテンHARQプロセスは、ULデータ送信に、またD2D通信に適用されてもよい。
【００５９】
ステップ405において、低レイテンシ動作モードに基づいてリソースの第1のセットを使用してデータブロックを、基地局105-bは送信することができる(またUE115-bは受信することができる)。たとえば、基地局105-bは、低レイテンシ動作モードに基づいてリソースの第1のセットを使用してデータブロックを送信することができる。基地局105-bはまた、チャネル状態またはデータブロックのサイズに少なくとも部分的に基づいて初期変調およびコーディング方式(MCS)を選択することができる。
【００６０】
ステップ410において、UE115-bは、データブロックに関するLLRのセットを計算することができる。ステップ415において、UE115-bは、LLRがCRC検査に合格していないと判断し得る(すなわち、UE115-bがデータブロックの一部分のみを受信していることがあり、またはデータブロックが破損していることがある)。
【００６１】
その後、ステップ420およびステップ425において、データブロックに関してACKが受信されているかどうかを基地局105-bが判断する前に、低レイテンシ動作モードに基づいてリソースの第2のセットを使用してデータブロックのいくつかの冗長バージョンを、基地局105-bは送信することができ、UE115-bは受信することができる。いくつかの例では、リソースの第2のセットは、時間的にリソースの第1セットに続く(すなわち、リソースの第1のセットの直後にくる)ことがある。場合によっては、UE115-bは、いくつかの冗長バージョンに対応するいくつかのNACKを送信することができる。
【００６２】
ステップ430において、UE115-bは、いくつかの冗長バージョンに基づいて、データブロックに関するLLRの更新されたセットを計算することができる。ステップ435において、UE115-bは、LLRの更新されたセットがCRC検査に合格していると判断し得る。
【００６３】
その後、ステップ440において、UE115-bは、LLRの更新されたセットがCRC検査に合格したとの判断に基づいて、データブロックに関するACKを送信することができる。いくつかの例では、ACKは、いくつかの冗長バージョンに少なくとも部分的に基づく、追加リソース要求を含む補強ACKである。いくつかの例では、ACKは、縮小されたシンボル持続時間(および/またはTTI持続時間)UL制御チャネル上で送信され得る。
【００６４】
UE115-bからACKを受信すると、基地局105-bはステップ445において、データブロックの冗長バージョンの送信を中止することができる。基地局105-bはまた、補強ACKを受信したことに基づいて、更新されたMCSを選択することができる。
【００６５】
ステップ450において、基地局105-bは、ACK上で搬送されたフィードバック情報に基づくリソースを使用して異なるデータブロックを送信することできる。たとえば、基地局105-bは、図3を参照して上で説明したような複数のコンポーネントキャリア上で(冗長バージョンによる)データブロックを送信することができる。
【００６６】
図5は、本開示の様々な態様による、信頼できる低レイテンシ通信のためのファウンテンHARQに関連する低レイテンシ物理レイヤ構造500の一例を示す。低レイテンシ物理レイヤ構造500は、図1〜図4を参照して上で説明したようなUE115と基地局105との間、または複数のUE115の間の通信に使用され得る。低レイテンシ物理レイヤ構造500は、図2〜図4を参照して上で説明したようなファウンテンHARQ方式とともに使用され得る。低レイテンシ物理レイヤ構造500は低レイテンシ構造の一例を示すが、他の構造がファウンテンHARQ方式とともに使用されてもよい。たとえば、低レイテンシ構造は、帯域ペアリングを組み込むことができ、ACKは、最初の送信の後に任意のシンボル上で提供され得る。
【００６７】
場合によっては、ワイヤレス通信システム(たとえば、図1のワイヤレス通信システム100)は、2つ以上の階層的物理レイヤ構造を有し得る。たとえば、第2の階層的レイヤは、第1の階層的レイヤと比較して、低いレイテンシを有し得る。無線フレーム510は、DLサブフレーム525、特殊サブフレーム530、およびULサブフレーム535を含む10個の1msサブフレームを含むことができ、それらの各々は、データシンボルを送信するために使用され得る。いくつかのDLサブフレーム525は、(たとえば、第2のレイヤにおいて)DLサブフレーム525、特殊サブフレーム530、およびULサブフレーム535とは異なる階層的レイヤに従って送信され得るバーストサブフレーム540に置き換えられ得る。いくつかの例では、バーストサブフレーム540は、第1の階層的レイヤにおけるサブフレームよりも多く数のシンボル(たとえば、14個のシンボルではなく88個のシンボル)を含むことができ、DLシンボル545、特殊シンボル550、およびULシンボル555を含み得る。場合によっては、シンボル545、550、および555は、第1の階層的レイヤに従って送信されるシンボルに対して、縮小されたシンボル持続時間を有し得る。縮小されたシンボル持続時間は、縮小されたレイテンシを伴う送信の肯定応答を可能にし得る。
【００６８】
第1のレイヤTDDフレーム510では、UE115は、DLサブフレーム525においてDL送信を受信し、第1のレイヤHARQ方式に従って肯定応答(ACK)を送信することができ、第1のレイヤHARQ方式では、ACKは、DL送信の受信からk+4個目のサブフレーム以降で最初の利用可能なサブフレームにおいて送信される。場合によっては、DLサブフレーム525からk+4番目のサブフレームは別のDLサブフレームであり得、その後のULサブフレーム565においてACK/NACK560が送信され得る。したがって、この例では、DLサブフレーム525と当該サブフレームに関連するACK/NACK560との間に7msの遅延がある。(たとえば、NACKを受信した後)再送信がふさわしい場合、後続DLサブフレームに対して再送信がスケジュールされ得る。再送信タイミングは、比較的長い往復時間(RTT)(たとえば、最小11ms)を生じさせ得る。DL送信から4番目のサブフレームにおいて肯定応答が送られる(FDDモードでは、ACK/NACKは一貫して、k+4番目のサブフレームにおいて送信され得る)場合、最小RTTは8msであり得る。
【００６９】
バーストサブフレーム540内で、ACKを提供するためのレイテンシは、第1の階層的レイヤにおける送信のためのレイテンシよりも小さいことがある。場合によっては、第2の階層的レイヤを使用する送信は、第1のレイヤの送信の場合と同様のHARQ技法を利用することができる。すなわち、ACKは、k+4(ここで、kは元のシンボル送信を表す)番目のシンボルにおいて、またはその後の送信のための最初の利用可能なシンボルにおいて提供され得る。たとえば、UE115は、シンボル545においてDL送信を受信し、ULシンボル555においてACK/NACK570を提供することができ、ULシンボル555は、DLシンボル545におけるDL送信の受信から5個目のシンボルである(理由は、送信から4番目のシンボルが特殊シンボル550であることである)。したがって、UE115は、バーストサブフレーム540内でDL送信のACK/NACK570を提供することができ、それは、DLシンボル545におけるDL送信の受信から1ms未満である。いくつかの例では、図3Aに関して上で説明したのと同様に、バーストサブフレーム540におけるシンボルのシンボル持続時間は、11.36μsであり得、結果としてこの例では、DLシンボル545送信から56.8μsで肯定応答が提供される。次いでeNBは、任意の必要な再送信をスケジュールすることができ、いくつかの例では、結果的に約100μs以下のRTTをもたらし得る。
【００７０】
ACK/NACK570は、UE115がDLシンボル545を受信することに関して説明しているが、UL送信の場合も同様の機能が実行されてよい。たとえば、UEは、eNBにULシンボル580を送信することができ、ULシンボル580はeNBによって、DLシンボル585において提供されるACK/NACK575を通じて確認応答され得る。再送信が必要である場合、そのような再送信は、UEから後続ULシンボルにおいて提供され得、したがってここでも、いくつかの例では、結果的に約100μs以下のRTTをもたらし得る。したがって、バーストサブフレーム540における送信に関連するレイテンシはかなり縮小され得る。そのような縮小されたレイテンシは、全体的な送信時間を縮小し得る縮小されたRTTを通じて、データレートの向上を実現することができる。
【００７１】
図6は、本開示の様々な態様による、ファウンテンHARQおよび信頼できる低レイテンシ通信のために構成されたデバイス601のブロック図600を示す。デバイス601は、図1〜図5を参照して説明したUE115または基地局105の態様の一例であり得る。デバイス601は、受信機605、ファウンテンHARQモジュール610、または送信機615を含み得る。デバイス601は、プロセッサも含み得る。これらの構成要素の各々は、互いに通信していることがある。
【００７２】
デバイス601の構成要素は、個別にまたは集合的に、適用可能な機能の一部または全部をハードウェアで実行するように適合された少なくとも1つの特定用途向け集積回路(ASIC)を用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、フィールドプログラマブルゲートアレイ(FPGA)、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００７３】
受信機605は、パケット、ユーザデータ、または様々な情報チャネル(たとえば、制御チャネル、データチャネル、および信頼できる低レイテンシ通信のためのファウンテンHARQに関係する情報など)に関連する制御情報のような情報を受信し得る。情報は、ファウンテンHARQモジュール610に、またデバイス601の他の構成要素に渡され得る。
【００７４】
ファウンテンHARQモジュール610は、低レイテンシ動作モードに基づいてリソースの第1のセットを使用してデータブロックを送信し、低レイテンシ動作モードに基づいてリソースの第2のセットを使用してデータブロックのいくつかの冗長バージョンを送信することができ、データブロックに関してACKが受信されているかどうかを判断する前に、データブロックのいくつかの冗長バージョンが送信される。
【００７５】
送信機615は、デバイス601の他の構成要素から受信された信号を送信することができる。いくつかの実施形態では、送信機615はトランシーバモジュール内で受信機605とコロケートされ得る。送信機615は、単一のアンテナを含み得るか、または複数のアンテナを含み得る。
【００７６】
図7は、本開示の様々な態様による、ファウンテンHARQおよび信頼できる低レイテンシ通信のために構成されたデバイス601-aのブロック図700を示す。デバイス601-aは、図1〜図6を参照して説明したUE115または基地局105の態様の一例であり得る。デバイス601-aは、受信機605-a、ファウンテンHARQモジュール610-a、または送信機615-aを含み得る。デバイス601-aは、プロセッサも含み得る。これらの構成要素の各々は、互いに通信していることがある。ファウンテンHARQモジュール610-aはまた、低レイテンシ(LL)データモジュール705と、冗長性モジュール710とを含み得る。
【００７７】
デバイス601-aの構成要素は、個別にまたは集合的に、適用可能な機能の一部または全部をハードウェアで実行するように適合された少なくとも1つのASICを用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、FPGA、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００７８】
受信機605-aは、ファウンテンHARQモジュール610-aに、またデバイス601-aの他の構成要素に渡され得る情報を受信し得る。ファウンテンHARQモジュール610-aは、図6を参照して上で説明した動作を実行することができる。送信機615-aは、デバイス601-aの他の構成要素から受信された信号を送信することができる。
【００７９】
たとえば、LLデータモジュール705は、図2〜図5を参照して上で説明したように、低レイテンシ動作モードに基づいてリソースの第1のセットを使用してデータブロックを送信することができる。いくつかの例では、低レイテンシ動作モードは、縮小されたTTI時間期間を含む。LLデータモジュール705はまた、低レイテンシ動作モードに基づいてリソースの第1のセットを使用してデータブロックを受信し得る。いくつかの例では、低レイテンシ動作モードは、縮小されたTTI時間期間を含む。
【００８０】
冗長性モジュール710は、図2〜図5を参照して上で説明したように、低レイテンシ動作モードに基づいてリソースの第2のセットを使用してデータブロックのいくつかの冗長バージョンを送信することができ、データブロックに関してACKが受信されているかどうかを判断する前に、データブロックのいくつかの冗長バージョンが送信される。冗長性モジュール710はまた、ACKに基づいてデータブロックの追加の冗長バージョンを送信するのを控えることができる。いくつかの例では、リソースの第2のセットは、時間的にリソースの第1セットに続くことがある。いくつかの例では、冗長性モジュール710はまた、NACKを送信する前に、リソースの第2のセットを使用して低レイテンシ動作モードに基づいてデータブロックのいくつかの冗長バージョンを受信し得る。いくつかの例では、データブロックのいくつかの冗長バージョンを受信することは、複数のシンボルを通じてデータブロックのいくつかの冗長バージョンを受信することを含む。
【００８１】
図8は、本開示の様々な態様による、ファウンテンHARQおよび信頼できる低レイテンシ通信のために構成されたファウンテンHARQモジュール610-bのブロック図800を示す。ファウンテンHARQモジュール610-bは、図6〜図7を参照して説明したファウンテンHARQモジュール610の態様の一例であり得る。ファウンテンHARQモジュール610-bは、LLデータモジュール705-aと、冗長性モジュール710-aとを含み得る。これらのモジュールの各々は、図7を参照して上で説明した機能を実行することができる。ファウンテンHARQモジュール610-bはまた、MCSモジュール805と、補強ACKモジュール810と、HARQモジュール815と、LLRモジュール820と、CRCモジュール825と、デコーダ830とを含み得る。
【００８２】
ファウンテンHARQモジュール610-bの構成要素は、個別にまたは集合的に、適用可能な機能の一部または全部をハードウェアで実行するように適合された少なくとも1つのASICを用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、FPGA、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００８３】
MCSモジュール805は、図2〜図5を参照して上で説明したように、チャネル状態またはデータブロックのサイズに少なくとも部分的に基づいて初期MCSを選択することができ、データブロックを送信することが初期MCSに基づく。MCSモジュール805はまた、補強ACKに少なくとも部分的に基づいて、更新されたMCSを選択することができる。いくつかの例では、データブロックを受信することは、チャネル状態またはデータブロックのサイズに少なくとも部分的に基づく初期MCSを使用してデータブロックを受信することを含む。MCSモジュール805はまた、補強ACKに少なくとも部分的に基づく更新されたMCSを使用して後続データブロックを受信するように構成され得る。
【００８４】
補強ACKモジュール810は、いくつかの冗長バージョン(たとえば、データブロックを正常に復号する前に受信された数)に少なくとも部分的に基づいて補強ACKを生成することができる。補強ACKは、図2〜図5を参照して上で説明したように、追加リソース要求を含み得る。いくつかの例では、追加リソース要求は、1つまたは複数の信頼性メトリクスに少なくとも部分的に基づき得る。
【００８５】
HARQモジュール815は、図2〜図5を参照して上で説明したように、(たとえば、低レイテンシ動作モードに基づいて、縮小されたシンボル持続時間UL制御チャネル上で)ACKを受信し得る。HARQモジュール815はまた、縮小されたシンボル持続時間UL制御チャネル上で、(いくつかの冗長バージョンに対応する)いくつかのNACKを受信し得る。HARQモジュール815はまた、LLRのセットがCRCに合格しているとの判断に基づいて、データブロックに関するACKを送信することができる。いくつかの例では、ACKは、低レイテンシ動作モードに基づいて、縮小されたシンボル持続時間UL制御チャネル上で送信され得る。HARQモジュール815はまた、縮小されたシンボル持続時間UL制御チャネル上で、いくつかの冗長バージョンに対応するいくつかのNACKを送信することができる。
【００８６】
LLRモジュール820は、図2〜図5を参照して上で説明したように、データブロックに関するLLRの第1のセットを計算することができる。LLRモジュール820はまた、受信されたいくつかの冗長バージョンに基づいて、データブロックに関するLLRの更新されたセットを計算することができる。LLRモジュール820はまた、(たとえば、ビットを処理することに進むべきかどうかを判断するために)LLRの更新されたセットに関する累積品質メトリックがしきい値を上回ると判断し得る。
【００８７】
CRCモジュール825は、図2〜図5を参照して上で説明したように、LLRの第1のセットからの復号されたビットの第1のセットがCRCに合格していないと判断し得る。CRCモジュール825はまた、LLRの更新されたセットからの復号されたビットの第2のセットがCRCに合格していると判断し得る。
【００８８】
デコーダ830は、LLRの初期セットまたはLLRの更新されたセットに基づいて、また場合によっては、図2〜図5を参照して上で説明したように、累積品質メトリックがしきい値を上回るとの判断に基づいて、復号動作を実行することができる。いくつかの例では、復号動作は、LLRの中間セットまたは復号されたビットの中間セットに部分的に基づき得る。
【００８９】
図9は、本開示の様々な態様による、ファウンテンHARQおよび信頼できる低レイテンシ通信のために構成されたUE115を含むシステム900の図を示す。システム900は、UE115-cを含むことができ、UE115-cは、図1〜図8を参照して上で説明したUE115の一例であり得る。UE115-cは、ファウンテンHARQモジュール910を含むことができ、ファウンテンHARQモジュール910は、図6〜図8を参照して説明したファウンテンHARQモジュール610の一例であり得る。UE115-cはまた、LL制御モジュール925を含み得る。UE115-cはまた、通信を送信するための構成要素および通信を受信するための構成要素を含む、双方向音声およびデータ通信のための構成要素を含み得る。たとえば、UE115-cは、UE115-dまたは基地局105-cと双方向に通信し得る。
【００９０】
LL制御モジュール925は、図2〜図5を参照して上で説明したように、低レイテンシ動作モードに基づいて、縮小されたシンボル持続時間DLチャネル上でデータまたは制御情報を送信するように構成され得る。LL制御モジュール925はまた、低レイテンシ動作モードに基づいて、縮小されたシンボル持続時間DLチャネル上でデータおよび制御情報を受信し得る。低レイテンシチャネルは、図5を参照して上で説明したように構成され得る。
【００９１】
UE115-eはまた、各々が、直接的または間接的に、(たとえば、バス945を介して)互いに通信することができるプロセッサモジュール905と、(ソフトウェア(SW)920を含む)メモリ915と、トランシーバモジュール935と、1つまたは複数のアンテナ940とを含み得る。トランシーバモジュール935は、上で説明したように、アンテナ940またはワイヤードリンクもしくはワイヤレスリンクを介して、1つまたは複数のネットワークと双方向に通信することができる。たとえば、トランシーバモジュール935は、基地局105または別のUE115と双方向に通信し得る。トランシーバモジュール935は、パケットを変調し、変調されたパケットを送信のためにアンテナ940に提供し、アンテナ940から受信されたパケットを復調するためのモデムを含み得る。UE115-cは単一のアンテナ940を含んでよいが、UE115-cは、複数のワイヤレス送信を同時に送信または受信することができる複数のアンテナ940を有してもよい。
【００９２】
メモリ915は、ランダムアクセスメモリ(RAM)と読取り専用メモリ(ROM)とを含み得る。メモリ915は、実行されると、本明細書で説明する様々な機能(たとえば、信頼できる低レイテンシ通信のためのファウンテンHARQなど)をプロセッサモジュール905に実行させる命令を含む、コンピュータ可読コンピュータ実行可能のソフトウェア/ファームウェアコード920を記憶し得る。代替として、ソフトウェア/ファームウェアコード920は、プロセッサモジュール905によって直接実行可能ではなくてもよく、(たとえば、コンパイルされ実行されると)本明細書で説明する機能をコンピュータに実行させてもよい。プロセッサモジュール905は、インテリジェントハードウェアデバイス(たとえば、中央処理装置(CPU)、マイクロコントローラ、ASICなど)を含み得る。
【００９３】
図10は、本開示の様々な態様による、ファウンテンHARQおよび信頼できる低レイテンシ通信のために構成された基地局105を含むシステム1000の図を示す。システム1000は、基地局105-dを含むことができ、基地局105-dは、図1〜図9を参照して上で説明した基地局105の一例であり得る。基地局105-dは、基地局ファウンテンHARQモジュール1010を含むことができ、基地局ファウンテンHARQモジュール1010は、図7〜図9を参照して説明したファウンテンHARQモジュール610の一例であり得る。基地局105-dはまた、通信を送信するための構成要素および通信を受信するための構成要素を含む、双方向音声およびデータ通信のための構成要素を含み得る。たとえば、基地局105-dは、UE115-eおよびUE115-fと双方向に通信し得る。
【００９４】
場合によっては、基地局105-dは、1つまたは複数のワイヤードバックホールリンクを有し得る。基地局105-dは、コアネットワーク130-aへのワイヤードバックホールリンク(たとえば、S1インターフェースなど)を有し得る。基地局105-dはまた、基地局間バックホールリンク(たとえば、X2インターフェース)を介して基地局105-mおよび基地局105-nのような他の基地局105と通信し得る。基地局105の各々は、同じまたは異なるワイヤレス通信技術を使用してUE115と通信することができる。場合によっては、基地局105-dは、基地局通信モジュール1025を利用して、105-mまたは105-nのような他の基地局と通信することができる。いくつかの実施形態では、基地局通信モジュール1025は、基地局105のいくつかの間の通信を行うために、LTE/LTE-Aワイヤレス通信ネットワーク技術内のX2インターフェースを提供し得る。いくつかの実施形態では、基地局105-dは、コアネットワーク130-aを通じて他の基地局と通信することができる。場合によっては、基地局105-dは、ネットワーク通信モジュール1035を通じてコアネットワーク130-aと通信することができる。
【００９５】
基地局105-dは、各々が、直接的または間接的に、(たとえば、バスシステム1045を介して)互いに通信していることがあるプロセッサモジュール1005と、(ソフトウェア(SW)1020を含む)メモリ1015と、トランシーバモジュール1030と、アンテナ1040とを含み得る。トランシーバモジュール1030は、アンテナ1040を介して、マルチモードデバイスであり得るUE115と双方向に通信するように構成され得る。トランシーバモジュール1030(または基地局105-dの他の構成要素)はまた、アンテナ1040を介して、1つまたは複数の他の基地局(図示せず)と双方向に通信するように構成され得る。トランシーバモジュール1030は、パケットを変調し、変調されたパケットを送信のためにアンテナ1040に提供し、アンテナ1040から受信されたパケットを復調するように構成されたモデムを含み得る。基地局105-dは、各々が1つまたは複数の関連アンテナ1040を伴う、複数のトランシーバモジュール1030を含み得る。トランシーバモジュールは、図6の受信機605および送信機615の組合せの一例であり得る。
【００９６】
メモリ1015は、RAMとROMとを含み得る。メモリ1015はまた、実行されると、本明細書で説明する様々な機能(たとえば、信頼できる低レイテンシ通信のためのファウンテンHARQ、カバレージ強化技法の選択、呼出し処理、データベース管理、メッセージルーティングなど)をプロセッサモジュール1005に実行させるように構成された命令を含む、コンピュータ可読コンピュータ実行可能のソフトウェアコード1020を記憶し得る。代替として、ソフトウェア1020は、プロセッサモジュール1005によって直接実行可能ではなくてもよく、たとえばコンパイルされ実行されると、本明細書で説明する機能をコンピュータに実行させるように構成されてもよい。プロセッサモジュール1005は、インテリジェントハードウェアデバイス、たとえば、CPU、マイクロコントローラ、ASICなどを含み得る。プロセッサモジュール1005は、エンコーダ、キュー処理モジュール、ベースバンドプロセッサ、無線ヘッドコントローラ、デジタル信号プロセッサ(DSP)などのような、様々な専用プロセッサを含み得る。
【００９７】
基地局通信モジュール1025は、他の基地局105との通信を管理し得る。この通信管理モジュールは、他の基地局105と協力してUE115との通信を制御するためのコントローラまたはスケジューラを含み得る。たとえば、基地局通信モジュール1025は、ビームフォーミングまたはジョイント送信のような様々な干渉軽減技法によりUE115への送信のためのスケジューリングを調整することができる。
【００９８】
図11は、本開示の様々な態様による、信頼できる低レイテンシ通信のためのファウンテンHARQに関連する方法1100を示すフローチャートを示す。方法1100の動作は、図1〜図10を参照して説明したUE115もしくは基地局105またはそれの構成要素の一例であり得るワイヤレスデバイスによって実施され得る。たとえば、方法1100の動作は、図6〜図10を参照して説明したファウンテンHARQモジュール610によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。
【００９９】
ブロック1105において、デバイスは、図2〜図5を参照して上で説明したように、低レイテンシ動作モードに基づいてリソースの第1のセットを使用してデータブロックを送信することができる。いくつかの例では、ブロック1105の動作は、図7を参照して上で説明したLLデータモジュール705によって実行され得る。
【０１００】
ブロック1110において、デバイスは、図2〜図5を参照して上で説明したように、低レイテンシ動作モードに基づいてリソースの第2のセットを使用してデータブロックのいくつかの冗長バージョンを送信することができ、データブロックに関してACKが受信されているかどうかを判断する前に、データブロックのいくつかの冗長バージョンが送信される。いくつかの例では、ブロック1110の動作は、図7を参照して上で説明した冗長性モジュール710によって実行され得る。
【０１０１】
図12は、本開示の様々な態様による、信頼できる低レイテンシ通信のためのファウンテンHARQに関連する方法1200を示すフローチャートを示す。方法1200の動作は、図1〜図10を参照して説明したUE115もしくは基地局105またはそれの構成要素の一例であり得るワイヤレスデバイスによって実施され得る。たとえば、方法1200の動作は、図6〜図10を参照して説明したファウンテンHARQモジュール610によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1200はまた、図11の方法1100の態様を組み込むことができる。
【０１０２】
ブロック1205において、デバイスは、図2〜図5を参照して上で説明したように、チャネル状態またはデータブロックのサイズに少なくとも部分的に基づいて初期MCSを選択することができ、データブロックを送信することが初期MCSに基づく。いくつかの例では、ブロック1205の動作は、図8を参照して上で説明したMCSモジュール805によって実行され得る。
【０１０３】
ブロック1210において、デバイスは、図2〜図5を参照して上で説明したように、低レイテンシ動作モードに基づいてリソースの第1のセットを使用してデータブロックを送信することができる。いくつかの例では、ブロック1210の動作は、図7を参照して上で説明したLLデータモジュール705によって実行され得る。
【０１０４】
ブロック1215において、デバイスは、図2〜図5を参照して上で説明したように、低レイテンシ動作モードに基づいてリソースの第2のセットを使用してデータブロックのいくつかの冗長バージョンを送信することができ、データブロックに関してACKが受信されているかどうかを判断する前に、データブロックのいくつかの冗長バージョンが送信される。いくつかの例では、ブロック1215の動作は、図7を参照して上で説明した冗長性モジュール710によって実行され得る。
【０１０５】
ブロック1220において、デバイスは、ACKを受信し得る。場合によっては、ACKは、図2〜図5を参照して上で説明したように、いくつかの冗長バージョンに少なくとも部分的に基づく、追加リソース要求を含む補強ACKである。いくつかの例では、ブロック1220の動作は、図8を参照して上で説明した補強ACKモジュール810によって実行され得る。
【０１０６】
ブロック1225において、デバイスは、図2〜図5を参照して上で説明したように、補強ACKに少なくとも部分的に基づいて、更新されたMCSを選択することができる。いくつかの例では、ブロック1225の動作は、図8を参照して上で説明したMCSモジュール805によって実行され得る。
【０１０７】
図13は、本開示の様々な態様による、信頼できる低レイテンシ通信のためのファウンテンHARQに関連する方法1300を示すフローチャートを示す。方法1300の動作は、図1〜図10を参照して説明したUE115もしくは基地局105またはそれの構成要素の一例であり得るワイヤレスデバイスによって実施され得る。たとえば、ブロック1300の動作は、図6〜図10を参照して説明したファウンテンHARQモジュール610によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1300はまた、図11〜図12の方法1100および1200の態様を組み込むことができる。
【０１０８】
ブロック1305において、デバイスは、図2〜図5を参照して上で説明したように、低レイテンシ動作モードに基づいてリソースの第1のセットを使用してデータブロックを送信することができる。いくつかの例では、ブロック1305の動作は、図7を参照して上で説明したLLデータモジュール705によって実行され得る。
【０１０９】
ブロック1310において、デバイスは、図2〜図5を参照して上で説明したように、低レイテンシ動作モードに基づいてリソースの第2のセットを使用してデータブロックのいくつかの冗長バージョンを送信することができ、データブロックに関してACKが受信されているかどうかを判断する前に、データブロックのいくつかの冗長バージョンが送信される。いくつかの例では、ブロック1310の動作は、図7を参照して上で説明した冗長性モジュール710によって実行され得る。
【０１１０】
ブロック1315において、デバイスは、図2〜図5を参照して上で説明したように、低レイテンシ動作モードに基づいて、縮小されたシンボル持続時間UL制御チャネル上でACKを受信し得る。いくつかの例では、ブロック1315の動作は、図8を参照して上で説明したHARQモジュール815によって実行され得る。
【０１１１】
ブロック1320において、デバイスは、図2〜図5を参照して上で説明したように、ACKに基づいてデータブロックの追加の冗長バージョンを送信するのを控えることができる。いくつかの例では、ブロック1320の動作は、図7を参照して上で説明した冗長性モジュール710によって実行され得る。
【０１１２】
図14は、本開示の様々な態様による、信頼できる低レイテンシ通信のためのファウンテンHARQに関連する方法1400を示すフローチャートを示す。方法1400の動作は、図1〜図10を参照して説明したUE115もしくは基地局105またはそれの構成要素の一例であり得るワイヤレスデバイスによって実施され得る。たとえば、方法1400の動作は、図6〜図10を参照して説明したファウンテンHARQモジュール610によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1400はまた、図11〜図13の方法1100、1200、および1300の態様を組み込むことができる。
【０１１３】
ブロック1405において、デバイスは、図2〜図5を参照して上で説明したように、低レイテンシ動作モードに基づいてリソースの第1のセットを使用してデータブロックを受信し得る。いくつかの例では、ブロック1405の動作は、図7を参照して上で説明したLLデータモジュール705によって実行され得る。
【０１１４】
ブロック1410において、デバイスは、図2〜図5を参照して上で説明したように、データブロックに関するLLRの第1のセットを計算することができる。いくつかの例では、ブロック1410の動作は、図8を参照して上で説明したLLRモジュール820によって実行され得る。
【０１１５】
ブロック1415において、デバイスは、図2〜図5を参照して上で説明したように、LLRの第1のセットからの復号されたビットの第1のセットがCRCに合格していないと判断し得る。いくつかの例では、ブロック1415の動作は、図8を参照して上で説明したCRCモジュール825によって実行され得る。
【０１１６】
ブロック1420において、デバイスは、図2〜図5を参照して上で説明したように、NACKを送信する前に、リソースの第2のセットを使用して低レイテンシ動作モードに基づいてデータブロックのいくつかの冗長バージョンを受信し得る。いくつかの例では、ブロック1420の動作は、図7を参照して上で説明した冗長性モジュール710によって実行され得る。
【０１１７】
ブロック1425において、デバイスは、図2〜図5を参照して上で説明したように、いくつかの冗長バージョンに基づいて、データブロックに関するLLRの更新されたセットを計算することができる。いくつかの例では、ブロック1425の動作は、図8を参照して上で説明したLLRモジュール820によって実行され得る。
【０１１８】
ブロック1430において、デバイスは、図2〜図5を参照して上で説明したように、LLRの更新されたセットからの復号されたビットの第2のセットがCRCに合格していると判断し得る。いくつかの例では、ブロック1430の動作は、図8を参照して上で説明したCRCモジュール825によって実行され得る。
【０１１９】
ブロック1435において、デバイスは、図2〜図5を参照して上で説明したように、LLRの更新されたセットがCRCに合格しているとの判断に基づいて、データブロックに関するACKを送信することができる。いくつかの例では、ブロック1435の動作は、図8を参照して上で説明したHARQモジュール815によって実行され得る。
【０１２０】
図15は、本開示の様々な態様による、信頼できる低レイテンシ通信のためのファウンテンHARQに関連する方法1500を示すフローチャートを示す。方法1500の動作は、図1〜図10を参照して説明したUE115もしくは基地局105またはそれの構成要素の一例であり得るワイヤレスデバイスによって実施され得る。たとえば、方法1500の動作は、図6〜図10を参照して説明したファウンテンHARQモジュール610によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1500はまた、図11〜図14の方法1100、1200、1300、および1400の態様を組み込むことができる。
【０１２１】
ブロック1505において、デバイスは、図2〜図5を参照して上で説明したように、低レイテンシ動作モードに基づいてリソースの第1のセットを使用してデータブロックを受信し得る。いくつかの例では、ブロック1505の動作は、図7を参照して上で説明したLLデータモジュール705によって実行され得る。
【０１２２】
ブロック1510において、デバイスは、図2〜図5を参照して上で説明したように、データブロックに関するLLRの第1のセットを計算することができる。いくつかの例では、ブロック1510の動作は、図8を参照して上で説明したLLRモジュール820によって実行され得る。
【０１２３】
ブロック1515において、デバイスは、図2〜図5を参照して上で説明したように、LLRの第1のセットからの復号されたビットの第1のセットがCRCに合格していないと判断し得る。いくつかの例では、ブロック1515の動作は、図8を参照して上で説明したCRCモジュール825によって実行され得る。
【０１２４】
ブロック1520において、デバイスは、図2〜図5を参照して上で説明したように、NACKを送信する前に、リソースの第2のセットを使用して低レイテンシ動作モードに基づいてデータブロックのいくつかの冗長バージョンを受信し得る。いくつかの例では、ブロック1520の動作は、図7を参照して上で説明した冗長性モジュール710によって実行され得る。
【０１２５】
ブロック1525において、デバイスは、図2〜図5を参照して上で説明したように、いくつかの冗長バージョンに基づいて、データブロックに関するLLRの更新されたセットを計算することができる。いくつかの例では、ブロック1525の動作は、図8を参照して上で説明したLLRモジュール820によって実行され得る。
【０１２６】
ブロック1530において、デバイスは、図2〜図5を参照して上で説明したように、LLRの更新されたセットからの復号されたビットの第2のセットがCRCに合格していると判断し得る。いくつかの例では、ブロック1530の動作は、図8を参照して上で説明したCRCモジュール825によって実行され得る。
【０１２７】
ブロック1535において、デバイスは、図2〜図5を参照して上で説明したように、LLRの更新されたセットがCRCに合格しているとの判断に基づいて、データブロックに関するACKを送信することができる。ACKは、いくつかの冗長バージョンに少なくとも部分的に基づく、追加リソース要求を含む補強ACKであり得る。いくつかの例では、ブロック1535の動作は、図8を参照して上で説明したHARQモジュール815によって実行され得る。
【０１２８】
ブロック1540において、デバイスは、図2〜図5を参照して上で説明したように、補強ACKに少なくとも部分的に基づく更新されたMCSを使用して後続データブロックを受信し得る。いくつかの例では、ブロック1540の動作は、図8を参照して上で説明したMCSモジュール805によって実行され得る。
【０１２９】
図16は、本開示の様々な態様による、信頼できる低レイテンシ通信のためのファウンテンHARQに関連する方法1600を示すフローチャートを示す。方法1600の動作は、図1〜図10を参照して説明したUE115もしくは基地局105またはそれの構成要素の一例であり得るワイヤレスデバイスによって実施され得る。たとえば、方法1600の動作は、図6〜図10を参照して説明したファウンテンHARQモジュール610によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1600はまた、図11〜図15の方法1100、1200、1300、1400、および1500の態様を組み込むことができる。
【０１３０】
ブロック1605において、デバイスは、図2〜図5を参照して上で説明したように、低レイテンシ動作モードに基づいてリソースの第1のセットを使用してデータブロックを受信し得る。いくつかの例では、ブロック1605の動作は、図7を参照して上で説明したLLデータモジュール705によって実行され得る。
【０１３１】
ブロック1610において、デバイスは、図2〜図5を参照して上で説明したように、データブロックに関するLLRの第1のセットを計算することができる。いくつかの例では、ブロック1610の動作は、図8を参照して上で説明したLLRモジュール820によって実行され得る。
【０１３２】
ブロック1615において、デバイスは、図2〜図5を参照して上で説明したように、LLRの第1のセットからの復号されたビットの第1のセットがCRCに合格していないと判断し得る。いくつかの例では、ブロック1615の動作は、図8を参照して上で説明したCRCモジュール825によって実行され得る。
【０１３３】
ブロック1620において、デバイスは、図2〜図5を参照して上で説明したように、NACKを送信する前に、リソースの第2のセットを使用して低レイテンシ動作モードに基づいてデータブロックのいくつかの冗長バージョンを受信し得る。いくつかの例では、ブロック1620の動作は、図7を参照して上で説明した冗長性モジュール710によって実行され得る。
【０１３４】
ブロック1625において、デバイスは、図2〜図5を参照して上で説明したように、いくつかの冗長バージョンに基づいて、データブロックに関するLLRの更新されたセットを計算することができる。いくつかの例では、ブロック1625の動作は、図8を参照して上で説明したLLRモジュール820によって実行され得る。
【０１３５】
ブロック1630において、デバイスは、図2〜図5を参照して上で説明したように、LLRの更新されたセットおよび累積品質メトリックがしきい値を上回るとの判断に基づいて、復号動作を実行することができ、復号されたビットの第2のセットが復号動作の出力である。いくつかの例では、ブロック1630の動作は、図8を参照して上で説明したデコーダ830によって実行され得る。
【０１３６】
ブロック1635において、デバイスは、図2〜図5を参照して上で説明したように、LLRの更新されたセットからの復号されたビットの第2のセットがCRCに合格していると判断し得る。いくつかの例では、ブロック1635の動作は、図8を参照して上で説明したCRCモジュール825によって実行され得る。
【０１３７】
ブロック1640において、デバイスは、図2〜図5を参照して上で説明したように、LLRの更新されたセットがCRCに合格しているとの判断に基づいて、データブロックに関するACKを送信することができる。いくつかの例では、ブロック1640の動作は、図8を参照して上で説明したHARQモジュール815によって実行され得る。
【０１３８】
このようにして、方法1100、1200、1300、1400、1500、および1600は、信頼できる低レイテンシ通信のためのファウンテンHARQに関連するワイヤレス通信を実現することができる。方法1100、1200、1300、1400、1500、および1600は可能な実装形態を表していること、ならびに動作およびステップは、他の実装形態が可能であるように並べ替えられてよく、または別様に修正されてもよいことに留意されたい。いくつかの例では、方法1100、1200、1300、1400、1500、および1600のうちの2つ以上からの態様が組み合わされ得る。
【０１３９】
添付の図面に関して上記に記載した詳細な説明は、例示的な実施形態について説明するものであり、実装され得る、または特許請求の範囲内にあるすべての実施形態を表すものではない。本明細書全体にわたって使用される「例示的」という用語は、「例、事例、または例示として役立つ」ことを意味し、「好ましい」または「他の実施形態よりも有利な」を意味するものではない。詳細な説明は、説明した技法の理解を与える目的で、具体的な詳細を含む。しかしながら、これらの技法は、これらの具体的な詳細を伴わずに実践され得る。場合によっては、説明した実施形態の概念を曖昧にするのを回避するために、よく知られている構造およびデバイスはブロック図の形態で示されている。
【０１４０】
様々な異なる技術および技法のいずれかを使用して、情報および信号が表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４１】
本明細書の開示に関して説明された様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサは、マイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ(たとえば、DSPおよびマイクロプロセッサの組合せ、複数のマイクロプロセッサ、DSPコアと連携する1つもしくは複数のマイクロプロセッサ、または任意の他のそのような構成)として実装され得る。
【０１４２】
本明細書で説明した機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶されるか、またはコンピュータ可読媒体を介して送信され得る。他の例および実装形態は、本開示および添付の特許請求の範囲の範囲内にある。たとえば、ソフトウェアの性質により、上で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理ロケーションにおいて実装されるように分散されることを含め、様々な位置に物理的に位置していてもよい。また、特許請求の範囲を含めて、本明細書で使用する場合、項目のリスト(たとえば、「のうちの少なくとも1つ」または「のうちの1つまたは複数」のような句で終わる項目のリスト)で使用される「または」は、たとえば、[A、B、またはCのうちの少なくとも1つ]のリストがAまたはBまたはCまたはABまたはACまたはBCまたはABC(すなわち、AおよびBおよびC)を意味するように、包含的リストを示す。
【０１４３】
コンピュータ可読媒体は、コンピュータ記憶媒体と、ある場所から別の場所へのコンピュータプログラムの転送を容易にする任意の媒体を含む通信媒体との両方を含む。記憶媒体は、汎用コンピュータまたは専用コンピュータによってアクセスされ得る任意の利用可能な媒体であってよい。限定ではなく例として、コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の媒体を含み得る。また、いかなる接続も適切にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波のようなワイヤレス技術を使用してウェブサイト、サーバ、または他のリモートソースから送信される場合、同軸ケーブル、光ファイバケーブル、ツイストペア、DSL、または赤外線、無線、およびマイクロ波のようなワイヤレス技術は、媒体の定義に含まれる。本明細書で使用するディスク(disk)およびディスク(disc)は、CD、レーザーディスク（登録商標）(disc)、光ディスク(disc)、デジタル多用途ディスク(disc)(DVD)、フロッピーディスク(disk)およびブルーレイディスク(disc)を含み、ディスク(disk)は通常、データを磁気的に再生し、ディスク(disc)はレーザーを用いてデータを光学的に再生する。上記の組合せも、コンピュータ可読媒体の範囲内に含まれる。
【０１４４】
本開示の前述の説明は、当業者が本開示を作製または使用することを可能にするために提供される。本開示への様々な修正は、当業者に容易に明らかになり、本明細書で定義する一般原理は、本開示の範囲から逸脱することなく他の変形形態に適用され得る。したがって、本開示は、本明細書で説明する例および設計に限定されるものではなく、本明細書で開示する原理および新規の特徴と一致する最も広い範囲を与えられるべきである。
【０１４５】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムのような様々なワイヤレス通信システムに使用され得る。「システム」および「ネットワーク」という用語は、しばしば互換的に使用される。CDMAシステムは、CDMA2000、ユニバーサル地上波無線アクセス(UTRA:Universal Terrestrial Radio Access)などのような無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、Wideband CDMA(WCDMA（登録商標）)およびCDMAの他の変形態を含む。TDMAシステムは、モバイル通信用グローバルシステム(GSM（登録商標）:Global System for Mobile Communications)のような無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDMなどのような無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するユニバーサルモバイルテレコミュニケーションシステム(UMTS)の新しいリリースである。UTRA、E-UTRA、UMTS、LTE、LTE-A、およびモバイル通信用グローバルシステム(GSM（登録商標）)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、上述のシステムおよび無線技術、ならびに他のシステムおよび無線技術に使用され得る。ただし、上の説明では、例としてLTEシステムについて説明し、上の説明の大部分においてLTE用語が使用されるが、本技法はLTE適用例以外に適用可能である。
【符号の説明】
【０１４６】
100  ワイヤレス通信システム
105  基地局
105-a  基地局
105-b  基地局
105-c  基地局
105-d  基地局
105-m  基地局
105-n  基地局
110  地理的カバレージエリア、カバレージエリア
115  UE
115-a  UE
115-b  UE
115-c  UE
115-d  UE
115-e  UE
115-f  UE
125  通信リンク、ワイヤレス通信リンク
130  コアネットワーク
130-a  コアネットワーク
132  バックホールリンク
134  バックホールリンク
200  ワイヤレス通信サブシステム
205  ダウンリンク
210  アップリンク
215  デフォルトTTI
220  短いTTIバースト
300  ファウンテンHARQタイムライン
305  ダウンリンク制御チャネル
310  アップリンク制御チャネル
315-a  コンポーネントキャリア
315-b  コンポーネントキャリア
315-c  コンポーネントキャリア
320-a  ダウンリンク許可
325  データブロック
330  冗長バージョン
330-e  冗長バージョン
335-a  ACK、補強ACK
335-b  ACK
340  データブロックバージョン、データブロック
340-a  データブロックバージョン
340-b  データブロックバージョン
340-c  データブロックバージョン
400  プロセスフロー、プロセスフロー図
500  低レイテンシ物理レイヤ構造
510  無線フレーム、第1のレイヤTDDフレーム
525  DLサブフレーム
530  特殊サブフレーム
535  ULサブフレーム
540  バーストサブフレーム
545  DLシンボル、シンボル
550  特殊シンボル、シンボル
555  ULシンボル、シンボル
560  ACK/NACK
565  ULサブフレーム
570  ACK/NACK
575  ACK/NACK
580  ULシンボル
585  DLシンボル
600  ブロック図
601  デバイス
601-a  デバイス
605  受信機
605-a  受信機
610  ファウンテンHARQモジュール
610-a  ファウンテンHARQモジュール
610-b  ファウンテンHARQモジュール
615  送信機
615-a  送信機
700  ブロック図
705  低レイテンシ(LL)データモジュール
705-a  LLデータモジュール
710  冗長性モジュール
710-a  冗長性モジュール
800  ブロック図
805  MCSモジュール
810  補強ACKモジュール
815  HARQモジュール
820  LLRモジュール
825  CRCモジュール
830  デコーダ
900  システム
905  プロセッサモジュール
910  ファウンテンHARQモジュール
915  メモリ
920  ソフトウェア(SW)、ソフトウェア/ファームウェアコード
925  LL制御モジュール
935  トランシーバモジュール
940  アンテナ
945  バス
1000  システム
1005  プロセッサモジュール
1010  基地局ファウンテンHARQモジュール
1015  メモリ
1020  ソフトウェア(SW)、ソフトウェアコード、ソフトウェア
1025  基地局通信モジュール
1030  トランシーバモジュール
1035  ネットワーク通信モジュール
1040  アンテナ
1045  バス
1100  方法
1200  方法
1300  方法
1400  方法
1500  方法
1600  方法
【図１】
0006776230.tif 000002
【図２】
0006776230.tif 000003
【図３】
0006776230.tif 000004
【図４】
0006776230.tif 000005
【図５】
0006776230.tif 000006
【図６】
0006776230.tif 000007
【図７】
0006776230.tif 000008
【図８】
0006776230.tif 000009
【図９】
0006776230.tif 000010
【図１０】
0006776230.tif 000011
【図１１】
0006776230.tif 000012
【図１２】
0006776230.tif 000013
【図１３】
0006776230.tif 000014
【図１４】
0006776230.tif 000015
【図１５】
0006776230.tif 000016
【図１６】
0006776230.tif 000017